(57)【要約】【目的】本発明は供給ホースと供給管の連通用接続工具に関するものであり、液体や気体等を供給するためにホースと金属管を接続するのにいわゆる番線と呼ばれる金属線やその番線で緊締する工具を使用することなく簡単且つ確実に連結固定できるようにしたことを目的とする。【構成】金属製筒形本体（１）の長さ方向の一部を軸芯方向に沿うと共に半径方向に欠徐部（Ｓ）を形成し、その欠徐部に相当する半円形の蓋体（２）をヒンジ（３）を介して開閉自在に結合し、当該ヒンジと対向位置の本体（１）に締め付け用レバーハンドル（５）を回動自在に結合し、その半円形蓋体（２）の頂面にテーパ形突起（４）を設けたことを特徴とする供給ホースと供給管の連通用接続工具。【選択図】　　　図１
2004069001.tif 000002
【特許請求の範囲】
【請求項１】
金属製筒形本体（１）の長さ方向の一部を軸芯方向に沿うと共に半径方向に欠徐部（Ｓ）を形成し、その欠徐部に相当する半円形の蓋体（２）をヒンジ（３）を介して開閉自在に結合し、当該ヒンジと対向位置の本体（１）に締め付け用レバーハンドル（５）を回動自在に結合し、その半円形蓋体（２）の頂面にテーパ形突起（４）を設けたことを特徴とする供給ホースと供給管の連通用接続工具。
【請求項２】
金属製筒形本体（１）の一部に形成した欠徐部（Ｓ）に半円形の蓋体（２）を開閉自在にヒンジ結合し、その欠徐部における本体に軟質ポリエチレン製ホース（８）の先端部位を装入した後、蓋体を閉じて当該ホースを抱持すると共に、その蓋体の頂面のテーパ形突起（４）にレバーハンドル（５）を回動しながら押圧して当該ホースを固定し、前記本体の他端に供給金属管（７）の一端部を接続したことを特徴とする連通用接続工具を用いた供給ホースと供給管の連通用接続方法。
【発明の詳細な説明】
【０００１】
【発明の属する分野】本発明は供給ホースと供給管の連通用接続工具に関するものであり、液体や気体等を供給するためにホースと金属管を接続するのにいわゆる番線と呼ばれる金属線やその番線で緊締する工具を使用することなく簡単且つ確実に連結固定できるようにしたことを目的とする。
【０００２】
【従来の技術】一般にこの種の供給ホースと金属管を嵌合して接続するためには、金属管に番線と呼ばれる金属線で接続部位を巻回し、さらにシノと呼ばれる工具を使用して緊締していた。
【０００３】
【発明が解決しようとする課題】ところが、上記の供給ホースと金属管を嵌合し、又はホース同士をジョイントパイプで接続するために番線や工具を使うのは非常に手間が掛かると共に、熟練を要する。また、供給ホースと金属管を頻繁に脱着する必要がある場合は、その番線を用いての緊締には不向きである。
【０００４】
【課題を解決するための手段】そこで本発明は、従来の課題を解決し、且つ発明の目的を達成するために提供するものである。
【０００５】
本発明の第１は供給ホースと供給管の連通用接続工具において、金属製筒形本体の長さ方向の一部を軸芯方向に沿うと共に半径方向に欠徐部を形成し、その欠徐部に相当する半円形の蓋体をヒンジを介して開閉自在に結合し、当該ヒンジと対向位置の本体に締め付け用レバーハンドルを回動自在に結合し、その半円形蓋体の頂面にテーパ形突起を設けたものである。
【０００６】
本発明の第２は連通用接続工具を用いた供給ホースと供給管の連通用接続方法において、金属製筒形本体の一部に形成した欠徐部に半円形の蓋体を開閉自在にヒンジ結合し、その欠徐部における本体に軟質ポリエチレン製ホースの先端部位を装入した後、蓋体を閉じて当該ホースを抱持すると共に、その蓋体の頂面のテーパ形突起にレバーハンドルを回動しながら押圧して当該ホースを固定し、前記本体の他端に供給金属管の一端部を連結固着したものである。
【０００７】
【発明の実施形態】金属製円筒形本体の長さはホース外径の２倍ないしは３倍に設定する。次いで、当該本体の長さ方向の一端側から半分程を軸芯方向に沿うと共に半径方向に向かって欠徐部を形成し、その欠徐部に相当する半円形の蓋体をヒンジを介して開閉自在に結合する。また、本体の他端側に金属管の端部を装入して固着する。そして、蓋体を開いた欠徐部側の本体内に軟質ポリエチレンホースの端部を装入した後、蓋体をヒンジを介して閉じて当該ホースを抱持し、レバーハンドルを回動して蓋体頂面のテーパ形突起を押し付けてホースを本体に固着してホースと供給金属管は連通状態になる。この状態でレバーハンドルを解除方向に回動すると、蓋体は本体に対して開蓋状態になり、ホースの端部は本体から外れる。
【０００８】
【実施例】次に本発明の実施例を図面によって説明する。１は金属製円筒形本体であり、その長さＬは接続しようとするホース又は金属管の外径の２倍ないしは３倍程度に設定する。また、当該本体における円筒体１１の内径は、装入するホース並びに金属管の外径に適合するように設定する。２は当該本体と同材質から成る半円形の蓋体であり、本体１の一端から半分程の長さＬ′を軸芯方向に沿うと共に半径方向に向かって円筒形に欠徐部Ｓを形成し、その欠徐部に当該蓋体を配置すると共にヒンジ３で開閉できるように本体１に結合してある。なお、前記蓋体にヒンジ３と反対側を少しの量ｇだけ削っておくものとする。
【０００９】
４は蓋体２の半円形頂面において、長さ方向に向けて設けたテーパ形突起であり、必要に応じて表面にレバーハンドル滑り止め用の鋸歯４１を成形してある。５は本体１のヒンジと対向する側の本体に一体成形したブラケット６に回動できるように取り付けたレバーハンドルであり、閉蓋した状態のテーパ形突起４の上を摺動押圧するようになっている。７は金属製円筒形本体１の他端に装入して固着した金属管、８は当該本体の一端においた開蓋した欠徐部Ｓから端部を本体内に装入した軟質ポリエチレン製ホースである。９は本体１の半円形内面と蓋体２の半円形内面に設けた滑り止め用鋸歯部である。
【００１０】
【具体的な使用例】
金属製円筒形本体１の長さＬは、例えばホース８の外径Ｒが７０ｍｍの場合、１４０ｍｍに設定し、又はホース外径が４８ｍｍの場合、９６ｍｍに設定する。そして、欠徐部Ｓは、当該本体１の一端から約半分の長さＬ′（７０ｍｍ又は４８ｍｍ）と、半径分ｒ′の深さで円筒形に欠徐部Ｓを形成する。前記の欠徐部Ｓに当該本体と同材質の半円形蓋体２をヒンジ３を介して本体１に開閉自在に結合する。そして、本体１の他端側に金属管７の端部を装入して固着する。
【００１１】
次いで、蓋体２を開いた欠徐部Ｓ側の本体１内に軟質ポリエチレンホース６の端部を装入し、且つその先端を円筒部１１内に僅かな寸法α（５〜１０ｍｍ位）だけ嵌入した後、蓋体２を閉じて当該ホースを抱持し、レバーハンドル５を回動して蓋体頂面のテーパ形突起４を押し付けてホースを本体１に固着してホース６と供給金属管７は連通状態になる。この場合、蓋体２のヒンジ３と反対側を半円形より少しの量ｇだけ削ってあることにより、その分締め付け力が増大する。
【００１２】
この連通状態でレバーハンドル５を解除方向に回動すると、蓋体２は本体１に対して開蓋状態になり、ホース８の端部は本体１から離脱できる。
【００１３】
【発明の効果】
本発明は上記の構成であるから、次の効果がある。すなわち、液体や気体等の各種供給ホースと供給管を接続するのにいわゆる番線と呼ばれる金属線やその番線で緊締する工具を使用することなく簡単且つ確実に連結固定できる。
【図面の簡単な説明】
【図１】本発明に係る供給ホースと供給管の連通用接続工具の蓋体を開いた状態の平面図である。
【図２】図１の側面図である。
【図３】図１の３−３線に沿う断面図である。
【図４】図１の状態から蓋体を閉じてホースを抱持固着した状態の平面図である。
【図５】図４の側面図である。
【図６】図４の６−６線に沿う断面図である。
【図７】図１の斜視図である。
【図８】図４の斜視図である。
【符号の説明】
１　金属製円筒形本体
２　蓋体
３　ヒンジ
４　テーパー形突起
５　レバーハンドル
６　ブラケット
７　金属管
８　ホース
【図１】
2004069001.tif 000003
【図２】
2004069001.tif 000004
【図３】
2004069001.tif 000005
【図４】
2004069001.tif 000006
【図５】
2004069001.tif 000007
【図６】
2004069001.tif 000008
【図７】
2004069001.tif 000009
【図８】
2004069001.tif 000010